(57)【要約】      （修正有）【課題】液体貨物貯蔵タンクの支持構造物を提供する。【解決手段】液体貨物貯蔵タンクの支持構造物１００は、液体貨物貯蔵タンク側に用意される断熱部１１０と、前記断熱部の下部に用意されて船体側に用意される支持部１３０と、前記断熱部と前記支持部との間に用意されて前記断熱部と前記支持部との間の間隔を調節する間隔調節部１２０とを含むことを特徴とする。液体貨物貯蔵タンクの支持構造物は、充填部材１１２により１次的に全体高さが調節された後に、間隔調節部により高さを再設定することができるため、液体貨物貯蔵タンクと船体との間に適切な高さに設置されるように液体貨物貯蔵タンクに密着されるので、液体貨物貯蔵タンクを安定的に支持することができる。【選択図】図２
2014234154.tif 000002
【特許請求の範囲】
【請求項１】
液体貨物貯蔵タンク側に用意される断熱部と、
前記断熱部の下部に用意されて船体側に用意される支持部と、
前記断熱部と前記支持部との間に用意されて前記断熱部と前記支持部との間の間隔を調節する間隔調節部と、
を含むことを特徴とする液体貨物貯蔵タンクの支持構造物。
【請求項２】
前記間隔調節部は、
前記断熱部側に用意される第１プレートと、前記第１プレートに対向して前記支持部側に用意される第２プレートと、を含み、
前記第１プレートと前記第２プレートとの間の間隔が調節できるように前記第１プレートと前記第２プレートとの間に挿入／引出されるスロープブロックをさらに含むことを特徴とする請求項１に記載の液体貨物貯蔵タンクの支持構造物。
【請求項３】
前記間隔調節部は、
前記第１プレートと前記第２プレートとの間を横切る引張材をさらに含み、
前記スロープブロックは、
前記引張材によりガイドされるように前記引張材が貫通され、一側に向かうほど幅が細くなるように傾斜されることを特徴とする請求項２に記載の液体貨物貯蔵タンクの支持構造物。
【請求項４】
前記スロープブロックは一対からなり、前記一対のスロープブロックの隔離距離により前記第１プレートと前記第２プレートとの間隔が調節されることを特徴とする請求項３に記載の液体貨物貯蔵タンクの支持構造物。
【請求項５】
前記一対のスロープブロックが互いに隣接する側に幅が細くなるようになっており、前記スロープブロックが互いに近接するほど前記第１プレートと前記第２プレートとの間隔が広くなることを特徴とする請求項４に記載の液体貨物貯蔵タンクの支持構造物。
【請求項６】
前記スロープブロックの上端部は、一側に向かうほど下向きに傾斜され、
前記第１プレートには、前記スロープブロックの傾斜角度に対応する第１収容溝が形成されることを特徴とする請求項５に記載の液体貨物貯蔵タンクの支持構造物。
【請求項７】
前記スロープブロックの下端部は、一側に向かうほど上向きに傾斜され、
前記第２プレートには、前記スロープブロックの傾斜角度に対応する第２収容溝が形成されることを特徴とする請求項５に記載の液体貨物貯蔵タンクの支持構造物。
【請求項８】
前記間隔調節部は、
前記引張材が貫通されるように前記スロープブロックの外側に用意されるフィクスブロックと、
前記引張材が貫通され、前記フィクスブロックに収容されて前記引張材を前記フィクスブロックに拘束させる固定部材と、
をさらに含むことを特徴とする請求項５に記載の液体貨物貯蔵タンクの支持構造物。
【請求項９】
前記固定部材は、内周面に歯車状をなしながら中心を貫通するホールが形成されて前記引張材が貫通され、外側は円錐台状からなり、前記フィクスブロックに進入するにつれて前記引張材を加圧して密着すると共に固定されることを特徴とする請求項８に記載の液体貨物貯蔵タンクの支持構造物。
【発明の詳細な説明】
【技術分野】
【０００１】
本発明は、液体貨物貯蔵タンクの支持構造物（ＳＵＰＰＯＲＴ  ＳＴＲＵＣＴＵＲＥ  ＦＯＲ  ＳＴＯＲＡＧＥ  ＴＡＮＫ）に関する。
【背景技術】
【０００２】
液化ガスがエネルギー資源として登場することで、このガスをエネルギーとして有効に利用するため生産基地から需要地までに大量に輸送することになるが、そのために液化ガス運搬船（Ｌｉｑｕｉｆｉｅｄ  ｇａｓ  Ｃａｒｒｉｅｒ）を利用することになる。この場合、液化ガスの運送量を増加させるために液化ガスの体積を減少させる必要があって、例えば、液化ガスを零下の極低温の状態に維持することになる。
【０００３】
このような、液化ガス運搬船は、液化ガスを保管及び貯蔵することができる船倉として船体内部に液体貨物貯蔵タンク（独立タンカー）を含む。この液体貨物貯蔵タンクは断熱構造体からなっており、船体に液化ガスの温度が伝達されることを低減する。
【０００４】
一方、液体貨物貯蔵タンクと船体との間には支持構造が必要であって、支持構造物は液体貨物貯蔵タンクを船体に搭載する際に、船体及び液体貨物貯蔵タンクの変形により液体貨物貯蔵タンクに密着に支持することができないため、設置誤差が発生する恐れがあり、支持構造物に対する安全性が確保されない。
【発明の概要】
【発明が解決しようとする課題】
【０００５】
本発明は、上記のような従来技術の問題に鑑みて創出されたものであって、本発明の目的は、液体貨物貯蔵タンクと船体とが密着できるように高さを調節することができる液体貨物貯蔵タンクの支持構造物を提供することにある。
【課題を解決するための手段】
【０００６】
本発明の一実施形態による液体貨物貯蔵タンクの支持構造物は、液体貨物貯蔵タンク側に用意される断熱部と、前記断熱部の下部に用意されて船体側に用意される支持部と、前記断熱部と前記支持部との間に用意されて前記断熱部と前記支持部との間の間隔を調節する間隔調節部とを含むことを特徴とする。
【０００７】
ここで、前記間隔調節部は、前記断熱部側に用意される第１プレートと、前記第１プレートに対向し、前記支持部側に用意される第２プレートとを含み、前記第１プレートと前記第２プレートとの間の間隔が調節できるように前記第１プレートと前記第２プレートとの間に挿入／引出することができるスロープブロックをさらに含むことを特徴とする。
【０００８】
また、前記間隔調節部は、前記第１プレートと前記第２プレートとの間を横切る引張材をさらに含み、前記スロープブロックには前記引張材によりガイドされるように前記引張材が貫通され、一側に向かうほど幅が細くなるように傾斜されることを特徴とする。
【０００９】
また、前記スロープブロックは一対からなり、前記一対のスロープブロックの隔離距離によって前記第１プレートと前記第２プレートとの間隔が調節されることを特徴とする。
【００１０】
また、前記一対のスロープブロックが互いに隣接する側に幅が細くなるようになっており、前記スロープブロックが互いに近接するほど前記第１プレートと前記第２プレートとの間隔が広くなることを特徴とする。
【００１１】
また、前記スロープブロックの上端部は、一側に向かうほど下向きに傾斜され、前記第１プレートには前記スロープブロックの傾斜角度に対応する第１収容溝が形成されることを特徴とする。
【００１２】
また、前記スロープブロックの下端部は、一側に向かうほど上向きに傾斜され、前記第２プレートには前記スロープブロックの傾斜角度に対応する第２収容溝が形成されることを特徴とする。
【００１３】
また、前記間隔調節部は、前記引張材が貫通されるように前記スロープブロックの外側に用意されるフィクスブロックと、前記引張材が貫通され、前記フィクスブロックに収容されて前記引張材を前記フィクスブロックに拘束させる固定部材とをさらに含むことを特徴とする。
【００１４】
また、前記固定部材は、内周面に歯車状をなしながら中心を貫通するホールが形成されて前記引張材が貫通されており、外側は円錐台状からなり前記フィクスブロックに進入するにつれて前記引張材を加圧して密着すると共に固定されることを特徴とする。
【発明の効果】
【００１５】
本発明による液体貨物貯蔵タンクの支持構造物は、充填部材により１次的に全体高さが調節された後に、間隔調節部により高さを再設定することができるために、液体貨物貯蔵タンクと船体との間に適切な高さに設置でき、液体貨物貯蔵タンクに密着することができるので、液体貨物貯蔵タンクを安定的に支持することができる。
【図面の簡単な説明】
【００１６】
【図１】本発明の一実施形態による液体貨物貯蔵タンクの支持構造物の正面図である。
【図２】本発明の一実施形態による液体貨物貯蔵タンクの支持構造物の断面図である。
【図３】本発明の一実施形態による液体貨物貯蔵タンクの支持構造物において第１プレートの上部を示す斜視図である。
【図４】本発明の一実施形態による液体貨物貯蔵タンクの支持構造物において第１プレートの下部を示す斜視図である。
【図５】本発明の一実施形態による液体貨物貯蔵タンクの支持構造物において第２プレートの上部を示す斜視図である。
【図６】本発明の一実施形態による液体貨物貯蔵タンクの支持構造物において第１プレートと第２プレートとが離隔された状態を示す間隔調節部の断面図である。
【図７】本発明の一実施形態による液体貨物貯蔵タンクの支持構造物において第１プレートと第２プレートとが当接された状態を示す間隔調節部の断面図である。
【図８】本発明の一実施形態による液体貨物貯蔵タンクの支持構造物において間隔調節部の一部を示す斜視図である。
【図９】本発明の一実施形態による液体貨物貯蔵タンクの支持構造物においてスロープブロックを示す斜視図である。
【図１０】本発明の一実施形態による液体貨物貯蔵タンクの支持構造物においてスロープブロックを示す断面図である。
【図１１】本発明の一実施形態による液体貨物貯蔵タンクの支持構造物においてフィクスブロックに固定部材が設置された状態を示す断面図である。
【図１２】本発明の一実施形態による液体貨物貯蔵タンクの支持構造物においてフィクスブロックに固定部材が設置された状態を示す側断面図である。
【発明を実施するための形態】
【００１７】
本発明の目的、特定の長所、及び新規特徴は、添付された図面と連関する以下の詳細な説明と好適な実施形態によってさらに明らかにされるであろう。本明細書において各図面の構成要素に参照番号を付加するにおいて、同一の構成要素は、たとえ他の図面上に表示されていてもてきるだけ同一番号を有するとのことに留意すべきである。また、本発明の説明において、係わる公知技術に関する具体的な説明が本発明の要旨を必要以上に損傷させると判断される場合はその詳細な説明は省略するものとする。
【００１８】
以下、添付された図面を参照しながら本発明の好適な実施形態を詳しく説明する。
【００１９】
図１は本発明の一実施形態による液体貨物貯蔵タンクの支持構造物の正面図であり、図２は本発明の一実施形態による液体貨物貯蔵タンクの支持構造物の断面図である。
【００２０】
図１及び図２に示すように、本発明の一実施形態による液体貨物貯蔵タンクの支持構造物１００は、断熱部１１０、間隔調節部１２０、及び支持部１３０を含む。
【００２１】
断熱部１１０は、液体貨物貯蔵タンク（図示せず）内の液体貨物の温度が船体（図示せず）に伝達されるのを防止することができるように、熱伝逹を減少させる構成であって、液体貨物貯蔵タンクの下部に設けられ、タンク固定プレート１１１、充填部材１１２を含むことができる。
【００２２】
タンク固定プレート１１１は、液体貨物貯蔵タンクの下側に接して連結され、陽極酸化（ａｎｏｄｉｚｉｎｇ）処理されることができる。タンク固定プレート１１１は液体貨物貯蔵タンクの下面に対応して形成され、例えば、液体貨物貯蔵タンクの下面が水平である平面をなす場合はタンク固定プレート１１１の上面が平らな板状になることができる。それと異なって、液体貨物貯蔵タンクの下面が波状である場合はそれに対応して液体貨物貯蔵タンクに密着するようにタンク固定プレート１１１の上面が波状をなすことができる。
【００２３】
充填部材１１２は、液体貨物貯蔵タンクの支持構造物１００の全体高さを１次的に調節する構成であって、例えば、樹脂ブロック（ｒｅｓｉｎ  ｂｌｏｃｋ）として多面体である直方体状からなることができ、モノマーキャストナイロン（Ｍｏｎｏｍｅｒ  Ｃａｓｔ  Ｎｙｌｏｎ）材質からなることができる。充填部材１１２は、樹脂の充填で埋め込まれ、液体貨物貯蔵タンクと船体との離隔された距離に対応して高さが設定されることができる。一例として、充填部材１１２の下部にはトッププレート（図示せず）が備えられることができる。
【００２４】
間隔調節部１２０は、液体貨物貯蔵タンクの支持構造物１００と液体貨物貯蔵タンクが船体に設置された後に、設置誤差などの理由で液体貨物貯蔵タンクと液体貨物貯蔵タンクの支持構造物１００との間に間隔が発生されるのを防止されるように液体貨物貯蔵タンクの支持構造物１００の全体高さを再調節する構成で、断熱部１１０の下側に用意することができる。間隔調節部１２０は、第１プレート１２１、第２プレート１２２、引張材１２３、フィクスブロック１２５、及び固定部材１２６を含むことができ、間隔調節部１２０にはスロープブロック１２４が用意されることができ、これについては図面を参照しながら次に説明する。
【００２５】
支持部１３０は、断熱部１１０及び間隔調節部１２０と一列に備えられ、間隔調節部１２０の下側に用意されることができる。支持部１３０は、間隔調節部１２０とボルティングで連結することができ、船体に設置され、液体貨物貯蔵タンクを支持することができる。ここで、支持部１３０は、サポート１３１を備えることができる。サポート１３１は、液体貨物貯蔵タンクを支持するように垂直からなる複数の鋼板が互いにクロスされて連結される。
【００２６】
以下に、図面を参照しながら間隔調節部１２０の構成及び作動について説明する。
【００２７】
図３は本発明の一実施形態による液体貨物貯蔵タンクの支持構造物において第１プレートの上部を示す斜視図であり、図４は本発明の一実施形態による液体貨物貯蔵タンクの支持構造物において第１プレートの下部を示す斜視図であり、図５は本発明の一実施形態による液体貨物貯蔵タンクの支持構造物において第２プレートの上部を示す斜視図である。
【００２８】
図３ないし図５を参照しながら第１プレート１２１と第２プレート１２２について説明すると、第１プレート１２１と第２プレート１２２は互いに当接するか、または離隔することで液体貨物貯蔵タンクの支持構造物１００の全体高さを変化し、液体貨物貯蔵タンクと断熱部１１０とが互いに当接するようにする構成である。ここで、第２プレート１２２は第１プレート１２１に対向する。第１プレート１２１には引張材１２３が収容される第１引張材溝１２１Ａが形成され、第２プレート１２２には第１引張材溝１２１Ａに対応して引張材１２３が収容される第２引張材溝１２２Ａが形成される。これにより、第１プレート１２１と第２プレート１２２との間に引張材１２３が用意されて引張材１２３の位置が決定され、引張材１２３の長さ方向に沿ってスロープブロック１２４の進入方向がガイドされる。
【００２９】
そして、第１プレート１２１には、スロープブロック１２４の傾斜角度に対応する第１収容溝１２１Ｂが第１引張材溝１２１Ａの両端にそれぞれ形成されることができ、第２プレート１２２には、スロープブロック１２４の傾斜角度に対応する第２収容溝１２２Ｂが第２引張材溝１２２Ａの両端にそれぞれ形成され、スロープブロック１２４が第１プレート１２１と第２プレート１２２との間にスライディング可能に用意されることができる。一例として、第１プレート１２１の上端にはスライディングプレート（図示せず）が用意され、液体貨物貯蔵タンクの収縮及び膨脹により断熱部１１０が間隔調節部１２０上でスライディングすることができる。
【００３０】
以下に、図面を参照しながら第１プレート１２１と第２プレート１２２が、スロープブロック１２４により隔離距離が調節されることについて説明する。
【００３１】
図６は本発明の一実施形態による液体貨物貯蔵タンクの支持構造物において第１プレートと第２プレートとが離隔された状態を示す間隔調節部の断面図であり、図７は本発明の一実施形態による液体貨物貯蔵タンクの支持構造物において第１プレートと第２プレートとが当接された状態を示す間隔調節部の断面図であり、図８は本発明の一実施形態による液体貨物貯蔵タンクの支持構造物において間隔調節部の一部を示す斜視図である。
【００３２】
図９は本発明の一実施形態による液体貨物貯蔵タンクの支持構造物においてスロープブロックを示す斜視図であり、図１０は本発明の一実施形態による液体貨物貯蔵タンクの支持構造物においてスロープブロックを示す断面図であり、図１１は本発明の一実施形態による液体貨物貯蔵タンクの支持構造物においてフィクスブロックに固定部材を設置した状態を示す断面図であり、図１２は本発明の一実施形態による液体貨物貯蔵タンクの支持構造物においてフィクスブロックに固定部材を設置した状態を示す側断面図である。
【００３３】
図６ないし図８を参照すると、引張材１２３は、第１引張材溝（図４参照；１２１Ａ）と第２引張材溝（図５参照；１２２Ａ）に嵌合されて第１プレート１２１と第２プレート１２２との間を複数個が横切って第１プレート１２１の両側に突出される。このような引張材１２３の両端には一対のスロープブロック１２４が用意されて引張材１２３の長さ方向に沿ってスロープブロック１２４が内側に挿入及び引出されるようにガイドされることができる。すなわち、図７のように、第１プレート１２１と第２プレート１２２とが互いに近接した状態でスロープブロック１２４が内側に進入すると、図６のように第１プレート１２１がスロープブロック１２４で押され、第１プレート１２１と第２プレート１２２とが離隔された状態になることができる。
【００３４】
図８ないし図１０に示すように、スロープブロック１２４は、引張材１２３でガイドされるように引張材１２３が貫通され、一側に向かうほど幅が細くなるように傾斜される。スロープブロック１２４は一対からなることができ、一対のスロープブロック１２４の隔離距離により第１プレート１２１と第２プレート１２２との間隔が調節されることは、図６と図７を参照しながら説明した。ここで、一対のスロープブロック１２４が互いに隣接する側に幅が細くなるようになり、スロープブロック１２４が互いに近接するほど第１プレート１２１と第２プレート１２２との間隔は広くなる。
【００３５】
一例として、スロープブロック１２４には、引張材１２３が貫通される第１貫通ホール１２４Ａが形成され、引張材１２３が貫通されて進入することで第１プレート１２１と第２プレート１２２との間隔が調節されるように内側に進入する方向に幅が細くなるように傾斜される。すなわち、スロープブロック１２４の上端部は一側に向かうほど下向きに傾斜され、スロープブロック１２４の下端部は一側に向かうほど上向きに傾斜される。
【００３６】
スロープブロック１２４は第１プレート１２１と第２プレート１２２との間に用意される。第１プレート１２１がスロープブロック１２４の上方に位置した場合に第１プレート１２１は第２プレート１２２に支持され、引張材１２３に沿って内側に進入されるように、第１収容溝１２１Ｂと第２収容溝１２２Ｂにスライディングされることができる。
【００３７】
ここで、第１プレート１２１と第２プレート１２２とが互いに当接された状態で充填部材１１２により液体貨物貯蔵タンクの支持構造物１００の高さが適切に調節され、液体貨物貯蔵タンクと液体貨物貯蔵タンクの支持構造物１００とが密着されると、スロープブロック１２４は第１プレート１２１と第２プレート１２２とが互いに当接するように、第１プレート１２１と第２プレート１２２の外側に突出された状態となることができる（図７参照）。
【００３８】
一方、充填部材１１２の充填が適切に行われなく、または設置誤差によって、液体貨物貯蔵タンクの支持構造物１００と液体貨物貯蔵タンクとの間に間隔が発生することができる。この場合、スロープブロック１２４は、第１プレート１２１と第２プレート１２２との内側にすべて挿入されるように（図６参照）、進入する長さにより第１プレート１２１を上部に押し付け、第１プレート１２１と第２プレート１２２とを離隔させることで、間隔調節部１２０の全体高さを調節することができる。
【００３９】
図１１及び図１２に示すように、フィクスブロック１２５は第１貫通ホール１２４Ａに対向して引張材１２３が貫通される第２貫通ホール１２５Ａが形成され、スロープブロック１２４の外側に用意され、固定部材１２６が挿入されることができる。ここで、フィクスブロック１２５の内周面と固定部材１２６の外周面のそれぞれにはねじ山が形成されて互いにねじ結合される。
【００４０】
固定部材１２６は、フィクスブロック１２５を引張材１２３に拘束させる構成であって、固定部材１２６はフィクスブロック１２５の内部に進入するように円錐台状からなることができる。このとき、フィクスブロック１２５は固定部材１２６の円錐台状に対応して円錐台状のホームが形成されるのは勿論である。固定部材１２６は中心を貫通するホールが形成され、ホールの内周面には歯車状からなり、いくつかの切片（本実施形態では３つとして例示する）に分けられた形状とすることができる。例えば、固定部材１２６はフィクスブロック１２５内部に挿入されるものであって、引張材１２３を加圧して密着することで固定されることができる。
【００４１】
このように本実施形態は、充填部材１１２で１次的に全体高さが調節された後に、間隔調節部１２０により高さを再設定することができ、液体貨物貯蔵タンクと船体との間に適切な高さに設置されるように、液体貨物貯蔵タンクに密着することができるので、液体貨物貯蔵タンクを安定的に支持することができる。
【００４２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４３】
１００    液体貨物貯蔵タンクの支持構造物
１１０    断熱部
１１１    タンク固定プレート
１１２    充填部材
１２０    間隔調節部
１２１    第１プレート
１２１Ａ    第１引張材溝
１２１Ｂ    第１収容溝
１２２    第２プレート
１２２Ａ    第２引張材溝
１２２Ｂ    第２収容溝
１２３    引張材
１２４    スロープブロック
１２４Ａ    第１貫通ホール
１２５    フィクスブロック
１２５Ａ    第２貫通ホール
１２６    固定部材
１３０    支持部
１３１    サポート
【図１】
2014234154.tif 000003
【図２】
2014234154.tif 000004
【図３】
2014234154.tif 000005
【図４】
2014234154.tif 000006
【図５】
2014234154.tif 000007
【図６】
2014234154.tif 000008
【図７】
2014234154.tif 000009
【図８】
2014234154.tif 000010
【図９】
2014234154.tif 000011
【図１０】
2014234154.tif 000012
【図１１】
2014234154.tif 000013
【図１２】
2014234154.tif 000014